(57)【要約】【課題】デジタルテレビに接続される印刷装置の利便性を向上させる。【解決手段】印刷装置２０を、プリンタとして機能すると共にスキャナとしても機能する複合機として構成し、放送局４２から送られてきたＸＨＴＭＬファイルからなる放送データをアンテナ４４で受信して画面上に表示出力するデジタルテレビ３０と接続する。宛先に関する情報が含まれた商品注文画面がデジタルテレビ３０に表示されているときに印刷装置２０による印刷が指示されたとき、商品注文画面に関するＸＨＴＭＬファイルを受信すると共に解釈してプリンタ部で商品注文書類として印刷する。印刷された商品注文書類にユーザ１０により希望する商品が記入されてスキャニングが指示されると、ユーザ１０により記入された情報と宛先情報とを印刷装置２０のスキャナ部で読み取り、希望の商品に関する情報を宛先となる注文管理サーバ７０に送信して商品の注文を行なう。【選択図】        図１
2004276256.tif 000002
【特許請求の範囲】
【請求項１】
放送局から送信された画像を受信して表示出力する放送受信装置に所定の通信インタフェースを介して接続された印刷装置であって、
記入欄が設けられた所定の申込書類となり得る情報と該申込書類の宛先に関する宛先情報とを前記放送受信装置から前記通信インタフェースを介して受信する情報受信手段と、
該受信した情報に基づいて前記宛先情報を含む申込書類として画像を印刷物に印刷する画像印刷手段と
を備える印刷装置。
【請求項２】
請求項１記載の印刷装置であって、
前記申込書類は、商品注文の申し込みやキャンペーンの申し込み，イベントの申し込み等を行なうための書類である
印刷装置。
【請求項３】
請求項１または２記載の印刷装置であって、
前記画像印刷手段により印刷された申込書類の記入欄に記入された記入情報と該申込書類に含まれる宛先情報とを入力する情報入力手段と、
該入力した記入情報を該入力した宛先情報を用いて宛先に送信する情報送信手段と
を備える印刷装置。
【請求項４】
請求項３記載の印刷装置であって、
前記情報入力手段は、前記宛先情報として電子メールアドレスを含む情報を入力する手段であり、
前記情報送信手段は、前記入力した記入情報に基づいて電子メールを作成すると共に該作成した電子メールを前記入力した電子メールアドレスを用いて宛先に送信する手段である
印刷装置。
【請求項５】
請求項３記載の印刷装置であって、
前記情報入力手段は、前記宛先情報としてＵＲＬを含む情報を入力する手段であり、
前記情報送信手段は、前記入力した記入情報を前記入力したＵＲＬを用いて宛先に送信する手段である
印刷装置。
【請求項６】
請求項１ないし５いずれか記載の印刷装置であって、
前記記入欄が設けられた所定の申込書類は、マークシート用の書類である
印刷装置。
【請求項７】
請求項１ないし６いずれか記載の印刷装置であって、
前記画像受信手段は、所定のマークアップ言語で記述されたファイルを受信することにより前記申込書類となり得る情報と該申込書類の宛先に関する宛先情報とを受信する手段であり、
前記画像印刷手段は、前記受信されたファイルを解釈して印刷を行なう手段である
印刷装置。
【請求項８】
請求項７記載の印刷装置であって、
前記所定のマークアップ言語は、ＸＨＴＭＬである
印刷装置。
【請求項９】
放送局から送信された画像を受信して表示出力する放送受信装置に所定の通信インタフェースを介して接続された印刷装置に用いられる印刷方法であって、
（ａ）記入欄が設けられた所定の申込書類となり得る情報と該申込書類の宛先に関する宛先情報とを前記放送受信装置から前記通信インタフェースを介して受信し、
（ｂ）該受信した情報に基づいて前記宛先情報を含む申込書類として画像を印刷物に印刷する
印刷方法。
【請求項１０】
請求項９記載の印刷方法であって、
更に、
（ｃ）前記ステップ（ｂ）により印刷された申込書類の記入欄に記入された記入情報と該申込書類に含まれる宛先情報とをスキャニングにより入力し、
（ｄ）該入力した記入情報を該入力した宛先情報を用いて所定のネットワークを介して宛先に送信する
印刷方法。
【発明の詳細な説明】
【０００１】
【発明の属する技術分野】
本発明は、印刷装置および印刷方法に関し、詳しくは、放送局から送信された画像を受信して表示出力する放送受信装置に所定の通信インタフェースを介して接続された印刷装置およびこれに用いられる印刷方法に関する。
【０００２】
【従来の技術】
従来、この種の印刷装置としては、パーソナルコンピュータにＵＳＢ（Ｕｎｉｖｅｒｓａｌ  Ｓｅｒｉａｌ  Ｂｕｓ）などの通信インタフェースを介して接続されたものが提案されている（例えば、特許文献１参照）。この装置では、パーソナルコンピュータのディスプレイに表示されている画面についての印刷の指示をパーソナルコンピュータから受け付けたときに、受け付けられた画面を印刷用紙に印刷している。
【０００３】
【特許文献１】
特開平０５−１１９４３号公報（図３）
【０００４】
【発明が解決しようとする課題】
ところで、近年、印刷装置にパーソナルコンピュータ以外の機器を接続できるようにして印刷装置を広く活用させる要請が高まってきている。特に、印刷装置にテレビを接続して放送局により放送された番組の画像などを印刷装置に出力できるようになれば便利である。従来では、例えば、テレビショッピングなどのテレビ番組において番組で紹介された商品を購入するために申込用紙としてハガキやＦＡＸ等を用いる場合には、商品名や商品番号，宛先などのすべての項目について購入者自らが申込用紙に記入しなければならなかったため、購入者によっては不便であると感じる場合があった。
【０００５】
本発明の印刷装置および印刷方法は、こうした問題を解決し、放送局からの画像を受信して表示出力する放送受信装置に通信インタフェースを介して接続される印刷装置を用いて所定の申し込みを行なう際の利便性をより向上させることを目的とする。
【０００６】
【課題を解決するための手段およびその作用・効果】
本発明の印刷装置および印刷方法は、上述の目的を達成するために以下の手段を採った。
【０００７】
本発明の印刷装置は、
放送局から送信された画像を受信して表示出力する放送受信装置に所定の通信インタフェースを介して接続された印刷装置であって、
記入欄が設けられた所定の申込書類となり得る情報と該申込書類の宛先に関する宛先情報とを前記放送受信装置から前記通信インタフェースを介して受信する情報受信手段と、
該受信した情報に基づいて前記宛先情報を含む申込書類として画像を印刷物に印刷する画像印刷手段と
を備えることを要旨とする。
【０００８】
この本発明の印刷装置では、放送局から送信された画像を受信して表示出力する放送受信装置から記入欄が設けられた申込書類となり得る情報とこの申込書類の宛先に関する宛先情報とを通信インタフェースを介して受信し、この受信された情報に基づいて宛先情報を含む申込書類として画像を印刷物に印刷する。これにより、ユーザは、印刷された印刷物を申込書類として記入欄に必要事項を記入し、その申込書類に含まれる宛先情報を用いて宛先に送付するだけで申し込みを行なうことができる。この結果、印刷装置を使用して申し込みを行なう際の利便性をより向上させることができる。ここで、「所定の申込書類」には、商品注文の申し込みやキャンペーンの申し込み、イベントの申し込みなどの書類が含まれる。
【０００９】
こうした本発明の印刷装置において、前記画像印刷手段により印刷された申込書類の記入欄に記入された記入情報と該申込書類に含まれる宛先情報とを入力する情報入力手段と、該入力した記入情報を該入力した宛先情報を用いて宛先に送信する情報送信手段とを備えるものとすることもできる。こうすれば、ユーザは、印刷された書類の記入欄に必要事項を記入するだけでよいから、利便性をさらに向上させることができる。この態様の本発明の印刷装置において、前記情報入力手段は、前記宛先情報として電子メールアドレスを含む情報を入力する手段であり、前記情報送信手段は、前記入力した記入情報に基づいて電子メールを作成すると共に該作成した電子メールを前記入力した電子メールアドレスを用いて宛先に送信する手段であるものとすることもできるし、或いは、前記情報入力手段は、前記宛先情報としてＵＲＬを含む情報を入力する手段であり、前記情報送信手段は、前記入力した記入情報を前記入力したＵＲＬを用いて宛先に送信する手段であるものとすることもできる。
【００１０】
また、本発明の印刷装置において、前記記入欄が設けられた申込書類は、マークシート用の書類であるものとすることもできる。こうすれば、ユーザは、適当な位置にマークを記すだけで申し込みを行なうことができる。
【００１１】
さらに、本発明の印刷装置において、前記画像受信手段は、所定のマークアップ言語で記述されたファイルを受信することにより前記申込書類となり得る情報と該申込書類の宛先に関する宛先情報とを受信する手段であり、前記画像印刷手段は、前記受信されたファイルを解釈して印刷を行なう手段であるものとすることもできる。この態様の本発明の印刷装置において、前記所定のマークアップ言語は、ＸＨＴＭＬであるものとすることもできる。
【００１２】
本発明の印刷方法は、
放送局から送信された画像を受信して表示出力する放送受信装置に所定の通信インタフェースを介して接続された印刷装置に用いられる印刷方法であって、
（ａ）記入欄が設けられた所定の申込書類となり得る情報と該申込書類の宛先に関する宛先情報とを前記放送受信装置から前記通信インタフェースを介して受信し、
（ｂ）該受信した情報に基づいて前記宛先情報を含む申込書類として画像を印刷物に印刷することを要旨とする。
【００１３】
この本発明の印刷方法では、放送局から送信された画像を受信して表示出力する放送受信装置から記入欄が設けられた所定の申込書類となり得る情報とこの申込書類の宛先に関する宛先情報とを通信インタフェースを介して受信し、この受信された情報に基づいて宛先情報を含む申込書類として画像を印刷物に印刷する。これにより、ユーザは、印刷された印刷物を申込書類として記入欄に必要事項を記入し、その申込書類に含まれる宛先情報を用いて宛先に送付するだけで申し込みを行なうことができる。この結果、印刷装置を用いて申し込みを行なう際の利便性をより向上させることができる。ここで、「所定の申込書類」には、商品注文の申し込みやキャンペーンの申し込み、イベントの申し込みなどが含まれる。
【００１４】
こうした本発明の印刷方法において、更に、（ｃ）前記ステップ（ｂ）により印刷された申込書類の記入欄に記入された記入情報と該申込書類に含まれる宛先情報とをスキャニングにより入力し、（ｄ）該入力した記入情報を該入力した宛先情報を用いて所定のネットワークを介して宛先に送信するものとすることもできる。こうすれば、ユーザは、印刷された申込書類の記入欄に必要事項を記入するだけでよいから、利便性をさらに向上させることができる。
【００１５】
【発明の実施の形態】
次に、本発明の実施の形態を実施例を用いて説明する。図１は、本発明の一実施例である印刷装置２０を含む商品注文システムの構成の概略を示す構成図である。実施例の商品注文システムは、放送局４２からの放送データをアンテナ４４で受信して表示出力する放送受信装置を内蔵するデジタルテレビ３０と、デジタルテレビ３０（放送受信装置）と通信インタフェースケーブル４０（例えば、ＩＥＥＥ１３９４インタフェースケーブルやＵＳＢインタフェースケーブルなど）を介して接続された実施例の印刷装置２０と、実施例の印刷装置２０にインターネット６０を介して接続された注文情報管理サーバ７０と、注文情報管理サーバ７０にネットワーク７２を介して接続された商品配送センター７４とから構成されている。実施例では、印刷装置２０は、デジタルテレビ３０に画面表示されている商品注文書類やこの書類の宛先に関するデータをデジタルテレビ３０からＸＨＴＭＬ（ｅＸｔｅｎｓｉｂｌｅ  Ｈｙｐｅｒ  Ｔｅｘｔ  Ｍａｒｋｕｐ  Ｌａｎｇｕａｇｅ）ファイルとして受け取って印刷用のデータに変換し印刷用紙に出力することにより商品注文書類５０として印刷すると共に、印刷された商品注文書類５０の記入欄にユーザ１０により記入された商品注文データと商品注文書類５０に印刷されている宛先データとを光学的に読み取ってユーザ１０により記入された商品注文データを商品注文書類５０の宛先である注文情報管理サーバ７０に送信する。実施例の印刷装置２０から商品注文データを受け取った注文情報管理サーバ７０は、商品注文データに対応する商品をユーザ１０に配送するように商品配送センター７２に配送指示を出力する。
【００１６】
図２は、通信インタフェースケーブル４０を介して接続された実施例の印刷装置２０とデジタルテレビ３０の構成の概略を示す構成図である。デジタルテレビ３０は、各部をコントロールするテレビコントローラ３１を中心として構成されており、アンテナ４４からの放送データを受信する受信部３２と、受信部３２に受信された放送データを表示する表示部３３と、受信部３２に受信された放送データを記憶するメモリ（例えば、ハードディスク装置など）３４と、通信インタフェースケーブル４０で接続された実施例の印刷装置２０と放送データのやり取り等の通信を行なうための通信コントローラ３５と、電源のＯＮ／ＯＦＦやチャンネルの切り替え，音量の調節などの各種操作を行なうためのリモコンとリモコン受信部とからなる操作部３６とを備える。尚、実施例では、デジタルテレビ３０は、前述の放送受信装置と一体のものとしたが、別々に構成するものとしてもよいことは勿論である。
【００１７】
実施例の印刷装置２０は、プリンタとして機能すると共にイメージスキャナとしても機能する複合機として構成されており、各部をコントロールするプリントコントローラ２１と、画像を印刷用紙に印刷する印刷部２２と、用紙に記入されたデータをスキャニングする読み取り部２３と、印刷部２２で印刷する画像データを一時的に記憶したり読み取り部２３で読み取られたデータを一時的に記憶したりするためのメモリ２４と、通信インタフェースケーブル４０で接続されたデジタルテレビ３０と通信するための通信コントローラ２５と、プリントの開始やスキャンの開始などの指示のために操作される操作部２６と、読み取り部２３によりスキャニングされたデータをインターネット６０を介して送信するためのインターネットコントローラ２７とを備える。
【００１８】
次に、実施例の印刷装置２０の動作について説明する。図３は、実施例の印刷装置２０により実行される画像印刷処理の一例を示すフローチャートである。この処理は、例えば、デジタルテレビ３０の操作部３６（リモコン）の図示しない印刷ボタンが押されてデジタルテレビ３０に表示されている商品注文画面の印刷が指示されたときに実行される。図４に、デジタルテレビ３０に画面表示される商品注文画面の一例を示す。商品注文画面は、後述する印刷用紙に印刷されたときに商品注文書類５０として用いることができ、商品注文書類５０にはユーザ登録の際にユーザ毎に割り当てられる固有の１〜５までの８桁のＩＤ番号を入力する欄である「お客様番号５２」，商品Ａ〜Ｃ毎に注文の有無とその個数を入力する欄である「注文商品５４」，画面右下に設けられ「お客様番号５２」や「注文商品５４」の欄に入力された商品注文データの送信先としてのＵＲＬ（Ｕｎｉｆｏｒｍ  Ｒｅｓｏｕｒｃｅ  Ｌｏｃａｔｏｒ）がコード化された「宛先コード５６」が設けられている。また、商品注文画面には、後述する印刷用紙にマークシート用の書類として印刷されユーザ１０により「お客様番号５２」の欄や「注文商品５４」の欄がマークされたときにそのマークを実施例の印刷装置２０の読み取り部２３で読み取るための基準マーク５８も設けられている。
【００１９】
画像印刷処理が実行されると、実施例の印刷装置２０のプリントコントローラ２１は、通信インタフェースケーブル４０を介して画面に表示されている画像に関するＸＨＴＭＬファイルを入力すると共に（ステップＳ１００）、入力したＸＨＴＭＬファイルを文法解釈する処理を行なう（ステップＳ１０２）。ＸＨＴＭＬファイルの解釈は、具体的には、ＸＨＴＭＬファイルに記述されたタグを文法解釈する処理である。タグの文法解釈において、ＸＨＴＭＬソースに画像ファイル（ＪＰＥＧファイル「ｃ：／＊＊＊／＊＊＊＊＊．ｊｐｇ」（”ｃ：／＊＊＊／”はパス名）など）の表示を指示するタグが記述されているときには、そのタグで指定されている画像ファイルのパス名やファイル名に基づいてデジタルテレビ３０のメモリ３４から通信インタフェースケーブル４０を介してその画像ファイルを受信する。以下、こうした実施例の印刷装置２０とデジタルテレビ３０との通信手順について詳細に説明する。
【００２０】
図５は、実施例の印刷装置２０の通信コントローラ２５とデジタルテレビ３０の通信コントローラ３５との通信手順の一例を示すシーケンス図である。図５の例では、通信インタフェースケーブル４０としてＩＥＥＥ１３９４を用いた場合の通信手順を示す。印刷装置２０とデジタルテレビ３０とが通信インタフェースケーブル４０に接続されている状態でデジタルテレビ３０に表示されている表示画面の印刷が指示されると、図５のシーケンスに示すように、まず、デジタルテレビ３０は、デジタルテレビ３０と実施例の印刷装置２０との間でコネクションに関する情報をやり取りしてプラグ間のコネクションを確立し、画像の印刷を指令するためのコマンドである「ＣＡＰＴＵＲＥ  ＲＥＦ（”ｏｂｊｅｃｔ＿ｐａｔｈ，ｂａｓｅ＿ｐａｔｈ，…”）」を送信する（Ｓ１０）。ここで、「”ｏｂｊｅｃｔ＿ｐａｔｈ，ｂａｓｅ＿ｐａｔｈ”」は、印刷すべきファイルのファイル名およびパス名を意味する。「ＣＡＰＴＵＲＥ  ＲＥＦ」コマンドを受信した実施例の印刷装置２０は、待機を要求するためのコマンドである「ＩＮＴＥＲＩＭ」を送信して（Ｓ１２）、必要なファイルを要求するための処理、即ち受信した「ＣＡＰＴＵＲＥ  ＲＥＦ」コマンドの「”ｏｂｊｅｃｔ＿ｐａｔｈ，ｂａｓｅ＿ｐａｔｈ”」を「”ｆｉｌｅ＿ｐａｔｈ”」として指定しデジタルテレビ３０から印刷に必要なファイルを要求するためのコマンドである「ＳＥＮＤ  ＦＩＬＥ（”ｆｉｌｅ＿ｐａｔｈ”）」を送信して（Ｓ１４）、デジタルテレビ３０からＸＨＴＭＬファイル（「ＤＡＴＡ（ｔｏｐｐａｇｅ．ｘｈｔｍｌ）」）を受信する。実施例の印刷装置２０は、受信したＸＨＴＭＬファイルのタグを解析し、タグに参照すべきオブジェクトファイル（例えば、「ｃ：／＊＊＊／＊＊＊．ｊｐｇ」）が指定されているときには、そのオブジェクトファイルのファイル名およびパス名を用いてコマンド「ＳＥＮＤ  ＦＩＬＥ（”ｆｉｌｅ＿ｐａｔｈ”）」（例えば、「ＳＥＮＤ  ＦＩＬＥ（”ｃ：／＊＊＊／＊＊＊．ｊｐｇ”）」）を送信して（Ｓ１８）、デジタルテレビ３０から参照オブジェクトファイル「ＤＡＴＡ」を受信する（Ｓ２０）。こうしてタグで指定されたすべての参照オブジェクトファイルを受信すると、実施例の印刷装置２０は、「ＣＡＰＴＵＲＥ  ＲＥＦ」コマンドに対する応答として必要なファイルの受信が完了した旨を示す「ＡＣＣＥＰＴＥＤ」コードをデジタルテレビ３０に送信する（Ｓ２２）。「ＡＣＣＥＰＴＥＤ」コードを受信したデジタルテレビ３０は、コネクションを切断する処理を行なって終了する。
【００２１】
図３の処理に戻って、こうしてＸＨＴＭＬファイルの文法解釈が終わると、その解釈結果に基づいてレイアウト処理や色変換処理，ハーフトーン処理，インターレース処理などの印刷用の印刷データを生成する処理を行なうと共に（ステップＳ１０４）、生成した印刷データに基づいて印刷用紙に印刷する処理を行なって（ステップＳ１０６）、本ルーチンを終了する。図６に、印刷部２２により印刷用紙に印刷された商品注文書類５０の一例を示す。ユーザ１０は、ユーザ１０に割り当てられたＩＤ番号を「お客様番号５２」の欄にマークすると共に希望する商品やその個数を「注文商品５４」欄にマークしてマークした商品注文書類５０を実施例の印刷装置２０の読み取り部２３により読み取らせることにより商品の注文を行なう。
【００２２】
図７は、実施例の印刷装置２０により実行される注文情報送信処理の一例を示すフローチャートである。この処理は、例えば、ユーザ１０によりマークされた商品注文書類５０が印刷装置２０の読み取り部２３の所定の読み取り位置にセットされ、読み取りの開始を指示する操作部２６の図示しない指示ボタンが押されたときに実行される。注文情報送信処理が実行されると、実施例の印刷装置２０のプリントコントローラ２１は、読み取り部２３を介してユーザ１０がマークしたお客様番号（ＩＤ番号）や注文商品およびその個数に関する商品注文データや、宛先コードを入力し（ステップＳ２００）、入力した宛先コードを解析して商品注文データの宛先となる注文情報管理サーバ７０のＵＲＬを取得し（ステップＳ２０２）、取得したＵＲＬを用いて注文情報管理サーバ７０に商品注文データを送信して（ステップＳ２０４）、処理を終了する。これにより、お客様番号と注文商品およびその個数に関する商品注文データが注文情報管理サーバ７０に受け付けられると共に商品配送センター７４に転送されて、商品配送センター７４から注文商品がユーザ１０の元へ届けられることになる。尚、実施例では、商品注文書類５０に記載されたマークを読み取ってそのまま商品注文データとして注文情報管理サーバ７０に送信するものとしたが、読み取った商品注文データを一旦印刷部２２で印刷用紙に印刷し、その内容をユーザ１０に確認させて操作部２６の図示しない送信ボタンが押されたときに注文情報管理サーバ７０に送信するものとしてもよい。
【００２３】
以上説明した実施例の印刷装置２０によれば、デジタルテレビ３０から商品注文画面がデータ化されたＸＨＴＭＬファイルを受け取ってこれを文法解釈し印刷用の印刷データに変換して印刷部２２により商品注文書類（マークシート）５０として印刷用紙に印刷すると共に、印刷された商品注文書類５０にユーザ１０によりマークされた位置を読み取り部２３により光学的に読み取って読み取ったマークから商品注文情報を生成して宛先の注文情報管理サーバ７０に送信するから、ユーザ１０は印刷部２２で印刷された商品注文書類５０に希望の商品とその個数をマークして読み取り部２３で読み取らせるだけで商品の注文を行なうことができる。この結果、デジタルテレビ３０に接続された実施例の印刷装置２０を用いて商品を注文する際の利便性をより向上させることができる。
【００２４】
ここで、デジタルテレビ３０と通信するための通信コントローラ２５や通信コントローラ２５を制御するプリントコントローラ２１が情報受信手段に相当し、商品注文書類５０として印刷用紙に印刷する印刷部２２や印刷部２２を制御するプリントコントローラ２１が画像印刷手段に相当し、商品注文書類５０から必要なデータをスキャニングする読み取り部２３や読み取り部２３を制御するプリントコントローラ２１が情報入力手段に相当し、読み取り部２３によりスキャニングされたデータをインターネット６０を介して注文情報管理サーバ７０に送信するインターネットコントローラ２７やインターネットコントローラ２７を制御するプリントコントローラ２１が情報送信手段に相当する。
【００２５】
実施例の印刷装置２０では、デジタルテレビ３０から商品注文書類５０の宛先としてＵＲＬを受信し、ユーザ１０により商品注文書類５０のお客様番号５２や注文商品５４の欄に記入されたマークと商品注文書類５０に予め印刷されたＵＲＬとを読み取り部２３により読み取って、お客様番号や注文商品およびその個数に関する商品注文データを取得すると共に取得した商品注文データをＵＲＬを用いて注文情報管理サーバ７０に送信するものとしたが、ＵＲＬに代えて電子メースアドレスを受信し、商品注文書類５０のお客様番号５２や注文商品５４の欄にユーザ１０により記入されたマークと商品注文書類５０に予め印刷された電子メールアドレスとを読み取り部２３により読み取って、お客様番号や注文商品およびその個数に関する商品注文データを取得すると共に取得した商品注文データに基づいて電子メールを作成し、作成した電子メールを電子メールアドレスを用いて注文情報管理サーバ７０に送信するものとしてもよい。
【００２６】
実施例の印刷装置２０では、マークシート用の商品注文画面をデジタルテレビ３０から受信して商品注文書類５０として印刷するものとしたが、ＦＡＸ送信用の商品注文画面をデジタルテレビ３０から受信して商品注文書類として印刷するものとしても構わないし、ハガキ用の商品注文画面をデジタルテレビ３０から受信して商品注文書類としてハガキ用紙に印刷するものとしても構わない。ＦＡＸ送信用の商品注文画面を受信して商品注文書類として印刷する場合、商品注文書類５０の宛先としてＦＡＸ番号をデジタルテレビ３０から受信して印刷するものとし、ＦＡＸ送信の際にユーザ１０が商品注文書類の必要な項目を記入して印刷されたＦＡＸ番号を用いてＦＡＸ送信するものとすればよい。また、ハガキ用の商品注文画面を受信して商品注文書類として印刷する場合、ハガキの宛名をデジタルテレビ３０から受信してハガキの宛名面に印刷するものとし、ユーザ１０が商品注文書類の必要な項目を記載して郵送するものとすればよい。尚、これらの場合、実施例の印刷装置２０は用紙に記入された文字やマークなどを読み取る読み取り部２３を備えないものとしても構わない。
【００２７】
実施例の印刷装置２０では、商品注文書類５０の宛先に関する情報をコード化して商品注文書類５０に印刷するものとしたが、必ずしもコード化する必要はなく例えばテキストとして印刷するものとしてもよい。この場合、読み取り部２３で読み取られたテキストをパターン認識を用いて宛先として認識させるものとすればよい。
【００２８】
実施例の印刷装置２０では、デジタルテレビ３０から商品注文画面を受信して商品注文書類５０として印刷用紙に印刷する場合を例に説明したが、商品を注文する場合に限られず、他のキャンペーンやイベントに参加するための申込画面をデジタルテレビ３０から受信して申込書類として印刷用紙に印刷する場合に適用するものとしても構わない。
【００２９】
実施例の印刷装置２０では、有線の通信インタフェースケーブル４０を介してデジタルテレビ３０（放送受信装置）と接続するものとしたが、無線通信インタフェースによりデジタルテレビ３０と接続するものとしても構わない。
【００３０】
実施例では、本発明の実施の形態の一つとして商品の注文などの申し込みを行なうための申込画面をデジタルテレビ３０から受信して印刷する印刷装置２０について説明したが、商品の注文などの申し込みを行なうための申込画面をデジタルテレビ３０から受信して印刷する印刷方法の形態とするものとしても構わない。
【００３１】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】印刷装置２０を含む商品注文システムの構成の概略を示す構成図。
【図２】通信インタフェースケーブル４０を介して接続された印刷装置２０とデジタルテレビ３０との構成の概略を示す構成図。
【図３】画像印刷処理ルーチンの一例を示すフローチャート。
【図４】商品注文画面の一例を示す説明図。
【図５】通信手順の一例を示すシーケンス図。
【図６】商品注文書類５０の一例を示す説明図。
【図７】注文情報送信処理の一例を示すフローチャート。
【符号の説明】
１０  ユーザ、２０  印刷装置、２１  プリントコントローラ、２２  印刷部、２３  読み取り部、２４  メモリ、２５  通信コントローラ、２６  操作部、２７  インターネットコントローラ、３０  デジタルテレビ、３１  テレビコントローラ、３２  受信部、３３  表示部、３４  メモリ、３５  通信コントローラ、３６  操作部、４０  通信インタフェースケーブル、４２  放送局、４４  アンテナ、５０  商品注文書類、６０  インターネット、７０  注文情報管理サーバ、７２  ネットワーク、７４  商品配送センター。
【図１】
2004276256.tif 000003
【図２】
2004276256.tif 000004
【図３】
2004276256.tif 000005
【図４】
2004276256.tif 000006
【図５】
2004276256.tif 000007
【図６】
2004276256.tif 000008
【図７】
2004276256.tif 000009